(57)【要約】【課題】投影モードに容易に切り替えられる電子機器を提供する。【解決手段】カメラモードで動作中にカメラ／プロジェクタ切替ボタン２１２が押圧されると、液晶表示器１０７には、再生モードに移行するのか、投影モードに移行するのか、再生＋投影モードに移行するのかを問い合わせ画面１０７ａが表示されるように構成した。また、ロータリーセレクタ２１５の回転操作によって問い合わせ画面１０７ａ上の「投影モード」が選択されて、ＯＫボタン２１６が押圧されると、電子カメラ１の動作モードは、投影モードへ移行するように構成した。これにより、カメラモードで動作中の電子カメラ１の動作モードを、投影モードに容易に切り替えられる。【選択図】図１
2008252602.tif 000002
【特許請求の範囲】
【請求項１】
被写体像を撮像する撮像手段と、
画像を投影する投影手段と、
前記電子機器の動作モードを、少なくとも、前記撮像手段によって被写体像を撮像する撮影モードと、前記投影手段によって画像を投影する投影モードとに切り替えて設定するモード設定手段と、
前記電子機器の動作モードを前記撮影モードから前記投影モードに切り替えるための操作入力を受け付ける１つの操作部材とを備え、
前記モード設定手段は、前記電子機器の動作モードが前記撮影モードに設定されている場合に前記操作部材が操作されると、前記電子機器の動作モードを前記撮影モードから前記投影モードに切り替えることを特徴とする電子機器。
【請求項２】
請求項1に記載の電子機器において、
前記投影手段は、前記操作部材が操作されることにより前記モード設定手段が前記電子機器の動作モードを前記撮影モードから前記投影モードに切り替えると、あらかじめ定められた所定の画像を投影することを特徴とする電子機器。
【請求項３】
被写体像を撮像する撮像手段と、
画像を投影する投影手段と、
電子機器本体に設けられた表示手段と、
前記電子機器の動作モードを、少なくとも、前記撮像手段によって被写体像を撮像する撮影モードと、前記投影手段によって画像を投影する投影モードとに切り替えて設定するモード設定手段と、
前記電子機器の動作モードを前記撮影モードから前記投影モードに切り替えるための操作入力を受け付ける１つの操作部材とを備え、
前記モード設定手段は、前記電子機器の動作モードが前記撮影モードに設定されている場合に前記操作部材が操作されると、前記撮像手段で撮像して得られて記録されている画像を前記表示手段に表示するか否かを問い合わせ、前記問い合わせに対する回答結果に基づいて、前記電子機器の動作モードを前記撮影モードから前記投影モードに切り替えることを特徴とする電子機器。
【発明の詳細な説明】
【技術分野】
【０００１】
本発明は、被写体像の撮影機能と、画像の投影機能とを備えた電子機器に関する。
【背景技術】
【０００２】
被写体像の撮影機能と、画像の投影機能とを備えた電子機器として、プロジェクタを備えたカメラが知られている（たとえば、特許文献１参照）。プロジェクタはカメラ本体に組み込まれており、プロジェクタ用の投影光学系を用いて画像をスクリーンに投影するように構成されている。
【０００３】
【特許文献１】特開２００５−２５０３９２号公報
【発明の開示】
【発明が解決しようとする課題】
【０００４】
しかし、従来のカメラでは、撮影を行うための撮影モードから画像を投影するためのプロジェクタモードへ移行する際には、ダイヤルを回してストロボ発光部１３の投光方向を手動で切り替えなければならず、操作性が悪い。
【課題を解決するための手段】
【０００５】
（１）  請求項１の発明による電子機器は、被写体像を撮像する撮像手段と、画像を投影する投影手段と、電子機器の動作モードを、少なくとも、撮像手段によって被写体像を撮像する撮影モードと、投影手段によって画像を投影する投影モードとに切り替えて設定するモード設定手段と、電子機器の動作モードを撮影モードから投影モードに切り替えるための操作入力を受け付ける１つの操作部材とを備え、モード設定手段は、電子機器の動作モードが撮影モードに設定されている場合に操作部材が操作されると、電子機器の動作モードを撮影モードから投影モードに切り替えることを特徴とする。
（２）  請求項２の発明は、請求項1に記載の電子機器において、投影手段は、操作部材が操作されることによりモード設定手段が電子機器の動作モードを撮影モードから投影モードに切り替えると、あらかじめ定められた所定の画像を投影することを特徴とする。
（３）  請求項３の発明による電子機器は、被写体像を撮像する撮像手段と、画像を投影する投影手段と、電子機器本体に設けられた表示手段と、電子機器の動作モードを、少なくとも、撮像手段によって被写体像を撮像する撮影モードと、投影手段によって画像を投影する投影モードとに切り替えて設定するモード設定手段と、電子機器の動作モードを撮影モードから投影モードに切り替えるための操作入力を受け付ける１つの操作部材とを備え、モード設定手段は、電子機器の動作モードが撮影モードに設定されている場合に操作部材が操作されると、撮像手段で撮像して得られて記録されている画像を表示手段に表示するか否かを問い合わせ、問い合わせに対する回答結果に基づいて、電子機器の動作モードを撮影モードから投影モードに切り替えることを特徴とする。
【発明の効果】
【０００６】
本発明によれば、投影モードに容易に切り替えられる。
【発明を実施するための最良の形態】
【０００７】
図１〜７を参照して、本発明による電子機器をカメラに適用した一実施の形態を説明する。図1は、本発明を適用した電子カメラ１の外観を示す図であり、図１（ａ），（ｂ），（ｃ）は、それぞれ電子カメラ１を正面、上面、背面から見た図である。電子カメラ１のボディ１０の正面には、撮影レンズ用の窓部１０１と、被写体に光を照射する発光部１０２と、画像を投影するプロジェクタのプロジェクタ投射窓１０３とが設けられている。電子カメラ１の上面には、レリーズボタン１０４、および、メインスイッチボタン１０５が設けられている。
【０００８】
ボディ１０の背面には、液晶表示器１０７、および操作部材２１が設けられている。操作部材２１は、ズームボタン２１０、モードボタン２１１、カメラ／プロジェクタ切替ボタン２１２、メニューボタン２１３、削除ボタン２１４、ロータリーセレクタ２１５、OKボタン２１６、および再生ボタン２１７などを含む。操作部材２１は、後述するカメラモードにおいて操作されるとともに、投影モードにおいて操作されるものが含まれている。電子カメラ１の撮像光学系は、窓部１０１から入射した被写体光束を高さ方向に屈折させる屈折光学系として構成されている。
【０００９】
レリーズボタン１０４は、レリーズ操作を行うための操作ボタンである。メインスイッチボタン１０５は、電子カメラ１の電源をオン／オフするための操作ボタンである。液晶表示器１０７は、撮像して得られた画像や各種のメニュー画面を表示する表示モニタとして働くほか、撮像時に、被写体の画像（スルー画）を表示する電子ファインダとして働く。なお、スルー画は、本撮影の前段階として後述する撮像素子で繰り返し取得される予備撮影画像である。
【００１０】
ズームボタン２１０は、撮像光学系の焦点距離の変更操作や、プロジェクタとして投影する画像の拡大縮小操作（ズーム操作）を行うための操作ボタンであり、左右端の押圧操作が可能である。モードボタン２１１は、被写体像を撮像する撮影モードと、撮像して得た画像を液晶表示器１０７に表示させる再生モードとを切り替えるための操作ボタンである。切替ボタン２１２は、撮影モードまたは再生モードで動作中の電子カメラ１を、画像を投影する投影モードに切り替えるための操作ボタンである。
【００１１】
メニューボタン２１３は、電子カメラ１の各種機能を選択、設定、調節するための各メニュー画面などを液晶表示器１０７に表示させる際に操作される操作ボタンである。削除ボタン２１４は、撮像して得た画像を消去する際に操作される操作ボタン（消去ボタン）である。ロータリーセレクタ２１５は、時計方向および反時計方向に回動可能に構成された操作部材であり、たとえば、液晶表示器１０７に表示された項目の中から選択する項目を順次変更するためなどに用いられるものである。
【００１２】
OKボタン２１６は、たとえば、ロータリーセレクタ２１５による選択操作で選択された項目を確定する際に操作される操作ボタンである。再生ボタン２１７は、撮像して得た画像を再生する際に操作される操作ボタンである。カメラ／プロジェクタ切替ボタン２１２および再生ボタン２１７が押圧された際の電子カメラ１の動作については後に詳述する。
【００１３】
図２は、電子カメラ１のブロック図である。電子カメラ１は、プロジェクタ部３０、撮像部４０、制御回路５０、メモリ６０、液晶表示器１０７、およびメモリカードインタフェース１０９を有する。また電子カメラ１は、半押しスイッチ１０４ａ、全押しスイッチ１０４ｂ、メインスイッチ１０５ａ、右ズームスイッチ２１０ａ、左ズームスイッチ２１０ｂ、モードスイッチ２１１ａ、切替スイッチ２１２ａ、メニュースイッチ２１３ａ、削除スイッチ２１４ａ、ロータリースイッチ２１５ａ、ＯＫスイッチ２１６ａ、および再生スイッチ２１７ａを有する。
【００１４】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１５】
メモリ６０は、制御プログラムを格納するＲＯＭ、制御回路５０の作業エリアのＲＡＭ、および、各種設定値などを記憶する不揮発メモリを含むメモリである。
【００１６】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１７】
半押しスイッチ１０４ａは、レリーズボタン１０４が半押し操作されるとオン信号を制御回路５０へ出力する。全押しスイッチ１０４ｂは、レリーズボタン１０４が全押し操作されるとオン信号を制御回路５０へ出力する。右ズームスイッチ２１０ａは、ズームボタン２１０の右側端部が押圧操作されると操作信号を制御回路５０へ出力する。左ズームスイッチ２１０ｂは、ズームボタン２１０の左側端部が押圧操作されると操作信号を制御回路５０へ出力する。
【００１８】
ロータリースイッチ２１５ａは、ロータリーセレクタ２１５の回転方向および回転量に応じた操作信号を制御回路５０へ出力する。メインスイッチ１０５ａ、モードスイッチ２１１ａ、および切替スイッチ２１２ａは、メインスイッチボタン１０５、モードボタン２１１、およびカメラ／プロジェクタ切替ボタン２１２が押圧操作されると操作信号をそれぞれ制御回路５０へ出力する。メニュースイッチ２１３ａ、削除スイッチ２１４ａ、ＯＫスイッチ２１６ａ、および再生スイッチ２１７ａは、メニューボタン２１３、削除ボタン２１４、OKボタン２１、および再生ボタン２１７が押圧操作されると操作信号をそれぞれ制御回路５０へ出力する。
【００１９】
−−−撮像部４０−−−
撮像部４０は、撮影レンズ４０１、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００２０】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００２１】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。
【００２２】
−−−プロジェクタ部３０−−−
図２、図３を参照して、プロジェクタ部３０について説明する。図２のブロック図、および図３のプロジェクタ部３０の構成図に示すように、プロジェクタ部３０は、レンズ駆動回路３００、投影光学系３０１、液晶パネル３０２、ＬＥＤ光源３０３、集光光学系３０４、ＰＢＳ（偏光ビームスプリッタ）ブロック３０５、投射制御回路３０６、および屈曲プリズム３０７を備える。液晶パネル３０２は、投射制御回路３０６からの駆動信号に応じて光像を生成する。なお、本実施の形態では、液晶パネル３０２として図３に示すように反射型の液晶パネルを使用する。投射制御回路３０６は、制御回路５０から出力される投影指令に応じてＬＥＤ光源３０３および液晶パネル３０２を制御する。
【００２３】
ＬＥＤ光源３０３は、白色光を射出する白色ＬＥＤであり、投射制御回路３０６を介して入力した制御回路５０の投影指令に基づいて、図３に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の図示右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００２４】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を図示右向きに進行し、液晶パネル３０２の反射面で反射された後、液晶層を図示左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２５】
投影光学系３０１は、液晶パネル３０２から射出される光像を屈曲プリズム３０７へ導く。図２のレンズ駆動回路３００は、投射制御回路３０６から出力されるフォーカス調節信号に基づいて、投影光学系３０１を構成するフォーカスレンズを光軸Ｌ２方向へ進退駆動する。レンズ駆動回路３００はさらに、投射制御回路３０６から出力されるズーム調節信号に基づいて、投影光学系３０１を構成するズームレンズを光軸Ｌ２方向へ進退駆動する。屈曲プリズム３０６は投影光学系３０１から入射した投影光を光軸Ｌ３の方向へ偏向してプロジェクタ投射窓１０３から投影画像をボディ１０の正面に向けて投影する（図３）。
【００２６】
電子カメラ１には、上述したプロジェクタ装置（プロジェクタ部）３０が搭載されている。この電子カメラ１は正面に配設されるスクリーンなどに向けて、画像などの情報をプロジェクタ投射窓１０３から投影する。そのため、電子カメラ１は、プロジェクタ部３０により画像を投影するための投影モードと、撮像部４０により被写体像を撮像（撮影）するための撮影モード（カメラモード）とを動作モードとして有する。また電子カメラ１は、撮像して得た画像を液晶表示器１０７に表示させる再生モードと、画像をプロジェクタ部３０から投影するとともに液晶表示器１０７にも表示させる再生＋投影モードとを動作モードとして有する。
【００２７】
−−−電子カメラ１の動作説明−−−
次に、図４〜７を参照して、投影モードに移行する際、および投影モードに移行後の動作を中心に、電子カメラ１の動作を説明する。図４〜７は、液晶表示器１０７の表示内容、および、プロジェクタ部３０から投影される画像の内容の遷移状態を示す図である。電子カメラ１の電源がオフされているときに、所定時間以上メインスイッチボタン１０５が押圧されると、電子カメラ１の電源がオンとなり、電子カメラ１がカメラモードで起動する。すなわち、制御回路５０は、電子カメラ１の電源がオフされているときに、所定時間以上メインスイッチ１０５ａからの操作信号を連続して受信すると、電子カメラ１の電源をオンとして、カメラモードで起動するよう各部を制御する。
【００２８】
カメラモードで動作中にカメラ／プロジェクタ切替ボタン２１２が押圧されると、図４（ａ）に示すように、液晶表示器１０７には、再生モードに移行するのか、投影モードに移行するのか、再生＋投影モードに移行するのかを問い合わせ画面１０７ａが表示される。また、この時点では、プロジェクタ部３０から画像は投影されない。
【００２９】
すなわち、制御回路５０は、カメラモードに設定されているときに、切替スイッチ２１２ａからの操作信号を受信すると、図４（ａ）に示した問い合わせ画面１０７ａを表示するよう、液晶表示器１０７を制御する。
【００３０】
ユーザは、ロータリーセレクタ２１５を操作することで、液晶表示器１０７に表示されている問い合わせ画面１０７ａ上で、再生モードへの移行を指示する「再生モード」か、投影モードへの移行を指示する「投影モード」か、再生＋投影モードへの移行を指示する「再生＋投影モード」のいずれかを選択することができる。
【００３１】
ロータリーセレクタ２１５の回転操作によって「再生モード」が選択されて、ＯＫボタン２１６が押圧されると、電子カメラ１の動作モードは、再生モードへ移行する。すなわち、制御回路５０は、図４（ａ）の問い合わせ画面１０７ａにおける「再生モード」が選択されているときにＯＫスイッチ２１６ａからの操作信号を受信すると、再生モードへ移行するよう各部を制御する。なお、再生モードにおける電子カメラ１の動作については公知であるので説明を省略する。
【００３２】
−−−投影モード−−−
ロータリーセレクタ２１５の回転操作によって図４（ａ）に示した問い合わせ画面１０７ａ上の「投影モード」が選択されて、ＯＫボタン２１６が押圧されると、電子カメラ１の動作モードは、投影モードへ移行する。投影モードに移行すると、液晶表示器１０７には、図４（ｂ）に示すように、メモリカード１１０に記録されている画像をすべて投影するのか、選択した画像だけを投影するのかを問い合わせる問い合わせ画面１０７ｂが表示される。また、プロジェクタ部３０からは壁紙としてあらかじめ設定されている画像が投影される。
【００３３】
すなわち、制御回路５０は、図４（ａ）の問い合わせ画面１０７ａにおける「投影モード」が選択されているときにＯＫスイッチ２１６ａからの操作信号を受信すると、投影モードへ移行するよう各部を制御する。そして、制御回路５０は、図４（ｂ）に示す問い合わせ画面１０７ｂを液晶表示器１０７に表示するよう制御する。また、制御回路５０は、壁紙用の画像のデータをメモリ６０から読み込んで再生し、再生した画像を投影するようにプロジェクタ部３０を制御する。投射制御回路３０６は、再生された壁紙の画像を投影するよう各部を制御する。
【００３４】
ロータリーセレクタ２１５の回転操作によって図４（ｂ）に示した問い合わせ画面１０７ｂ上の「すべての画像」が選択されて、ＯＫボタン２１６が押圧されると、液晶表示器１０７には、図４（ｃ）に示すように、メモリカード１１０に記録されている画像データのサムネイル画像がサムネイル一覧画面１０７ｃとして液晶表示器１０７に一覧表示される。この段階では、プロジェクタ部３０からは壁紙としてあらかじめ設定されている画像が投影される。
【００３５】
すなわち、制御回路５０は、図４（ｂ）の問い合わせ画面１０７ｂにおける「すべての画像」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００３６】
ユーザによるロータリーセレクタ２１５の回転操作によって、図４（ｃ）に示すサムネイル一覧画面１０７ｃの中から、図４（ｄ）に示すように投影すべき画像のサムネイルが選択されてＯＫボタン２１６が押圧されると、選択されたサムネイルに対応する画像がプロジェクタ部３０から投影される。
【００３７】
すなわち、制御回路５０は、サムネイル一覧画面１０７ｃ上で任意のサムネイル画像が選択されているときにＯＫスイッチ２１６ａからの操作信号を受信すると、サムネイル一覧画面１０７ｃ上で選択されているサムネイル画像に対応する画像データをメモリカード１１０から読み込んで再生し、再生した画像を投影するようにプロジェクタ部３０を制御する。投射制御回路３０６は、再生された画像を投影するよう各部を制御する。
【００３８】
ロータリーセレクタ２１５の回転操作によって図４（ｂ）に示した問い合わせ画面１０７ｂ上の「選択画像のみ」が選択されて、ＯＫボタン２１６が押圧されると、液晶表示器１０７には、図５（ａ）に示すように、メモリカード１１０に記録されている画像データのサムネイル画像がサムネイル一覧画面１０７ｅとして液晶表示器１０７に一覧表示される。この段階では、プロジェクタ部３０からは壁紙としてあらかじめ設定されている画像が投影される。
【００３９】
すなわち、制御回路５０は、図４（ｂ）の問い合わせ画面１０７ｂにおける「選択画像のみ」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００４０】
ユーザによるロータリーセレクタ２１５の回転操作によって、図５（ａ）に示すサムネイル一覧画面１０７ｅの中から、投影すべき画像のサムネイルが選択されてＯＫボタン２１６が押圧されると、図５（ｂ）の画像１０７ｆに示すように、選択されたサムネイル画像が、投影すべき画像の候補として選択される。この段階では、プロジェクタ部３０からは壁紙としてあらかじめ設定されている画像が投影される。なお、図５（ｂ）において、投影画像の候補のサムネイル画像には、説明便宜上、投影画像の候補であることを示すマークを星印で付して表示しているが、実際には画像の投影を想起させるようなマークを付すことが望ましい。
【００４１】
すなわち、制御回路５０は、サムネイル一覧画面１０７ｅ上で任意のサムネイル画像が選択されているときにＯＫスイッチ２１６ａからの操作信号を受信すると、サムネイル一覧画面１０７ｅ上で選択されているサムネイル画像に対応する画像を投影画像の候補として選択する。
【００４２】
図５（ｂ）に示すようにサムネイル一覧画面１０７ｆの中から、投影すべき画像のサムネイルを選択しているときに、たとえば、ＯＫボタン２１６が所定時間以内に２回連続で押圧されると、投影すべき画像の選択処理が終了されて、図５（ｃ）に示すように、選択した画像を投影するか否かを問い合わせる問い合わせ画面１０７ｇが液晶表示器１０７に表示される。この段階では、プロジェクタ部３０からは壁紙としてあらかじめ設定されている画像が投影される。
【００４３】
すなわち、制御回路５０は、サムネイル一覧画面１０７ｅ（１０７ｆ）上で任意のサムネイル画像が選択されているときにＯＫスイッチ２１６ａからの操作信号を所定時間以内に２回連続して受信すると、投影画像の候補選択処理を終了するとともに、図５（ｃ）に示した問い合わせ画面１０７ｇを液晶表示器１０７に表示するよう各部を制御する。
【００４４】
ユーザによるロータリーセレクタ２１５の回転操作によって、図５（ｃ）に示す問い合わせ画面１０７ｇの中から、「はい」が選択されてＯＫボタン２１６が押圧されると、図５（ｄ）に示すように、投影画像の候補についてのサムネイル一覧画面１０７ｈが液晶表示器１０７に表示される。なお、サムネイル一覧画面１０７ｈでは、投影画像の候補以外のサムネイル画像については、たとえばハーフトーン表示されるなど、投影画像の候補についてのサムネイル画像とは異なる表示形態で表示される。そして、プロジェクタ部３０からは、投影画像の候補のうち、ファイル作成日時が最も新しい画像が自動的に投影される。なお、液晶表示器１０７には、投影されている画像に対応するサムネイル画像が強調表示される。
【００４５】
ユーザによるロータリーセレクタ２１５の回転操作によって、サムネイル一覧画面１０７ｈの中から、投影画像の候補についてのサムネイル画像のみが選択可能である。ユーザによるロータリーセレクタ２１５の回転操作によって、サムネイル一覧画面１０７ｈの中から、投影画像の候補についてのサムネイル画像が任意に選択されて、ＯＫボタン２１６が押圧されると、当該選択されたサムネイル画像についての画像データがメモリカード１１０から読み込まれて、画像がプロジェクタ部３０から投影される（図５（ｄ））。
【００４６】
すなわち、制御回路５０は、図５（ｃ）に示す問い合わせ画面１０７ｇ上で「はい」が選択されているときにＯＫスイッチ２１６ａからの操作信号を受信すると、図５（ｄ）に示すサムネイル一覧画面１０７ｈを液晶表示器１０７に表示するよう各部を制御する。そして、制御回路５０は、投影画像の候補の中から、ファイル作成日時が最も新しい画像をメモリカード１１０から読み込んで再生し、再生した画像を投影するようにプロジェクタ部３０を制御する。投射制御回路３０６は、再生された画像を投影するよう各部を制御する。
【００４７】
また、制御回路５０は、ロータリーセレクタ２１５の回転操作によって、サムネイル一覧画面１０７ｈ上で投影画像の候補についての任意のサムネイル画像が選択されているときにＯＫスイッチ２１６ａからの操作信号を受信すると、当該選択されていたサムネイル画像についての画像データがメモリカード１１０から読み込んで再生し、再生した画像を投影するようにプロジェクタ部３０を制御する。投射制御回路３０６は、再生された画像を投影するよう各部を制御する。
【００４８】
ユーザによるロータリーセレクタ２１５の回転操作によって、図５（ｃ）に示す問い合わせ画面１０７ｇの中から、「いいえ」が選択されてＯＫボタン２１６が押圧されると、図５（ｂ）に示す状態に戻り、投影すべき画像のサムネイルが再び選択可能となる。
【００４９】
すなわち、制御回路５０は、図５（ｃ）に示す問い合わせ画面１０７ｇ上で「いいえ」が選択されているときにＯＫスイッチ２１６ａからの操作信号を受信すると、図５（ｂ）に示すサムネイル一覧画面１０７ｃ上を液晶表示器１０７に表示し、投影すべき画像のサムネイルが選択可能となるよう各部を制御する。
【００５０】
−−−再生＋投影モード−−−
上述したように、カメラモードで動作中にカメラ／プロジェクタ切替ボタン２１２が押圧されると、図４（ａ）に示すように、液晶表示器１０７には、再生モードに移行するのか、投影モードに移行するのか、再生＋投影モードに移行するのかを問い合わせ画面１０７ａが表示される。
【００５１】
ロータリーセレクタ２１５の回転操作によって図４（ａ）に示した問い合わせ画面１０７ａ上の「再生＋投影モード」が選択されて、ＯＫボタン２１６が押圧されると、電子カメラ１の動作モードは、再生＋投影モードへ移行する。再生＋投影モードに移行すると、液晶表示器１０７には、図６（ａ）に示すように、メモリカード１１０に記録されている画像をすべて投影するのか、選択した画像だけを投影するのかを問い合わせる問い合わせ画面１０７ｉが表示される。また、プロジェクタ部３０からは壁紙としてあらかじめ設定されている画像が投影される。
【００５２】
すなわち、制御回路５０は、図４（ａ）の問い合わせ画面１０７ａにおける「再生＋投影モード」が選択されているときにＯＫスイッチ２１６ａからの操作信号を受信すると、再生＋投影モードへ移行するよう各部を制御する。そして、制御回路５０は、図６（ａ）に示す問い合わせ画面１０７ｉを液晶表示器１０７に表示するよう制御する。また、制御回路５０は、壁紙用の画像のデータをメモリ６０から読み込んで再生し、再生した画像を投影するようにプロジェクタ部３０を制御する。投射制御回路３０６は、再生された壁紙の画像を投影するよう各部を制御する。
【００５３】
ロータリーセレクタ２１５の回転操作によって図６（ａ）に示した問い合わせ画面１０７ｂ上の「すべての画像」が選択されて、ＯＫボタン２１６が押圧されると、プロジェクタ部３０から投影していた直近の画像、または、撮像部４０で撮像して得られた直近の画像がプロジェクタ部３０から投影される。液晶表示器１０７には、図６（ｂ）に示すように、投影画像と同じ画像１０７ｊが表示される。
【００５４】
ここで、ロータリーセレクタ２１５が回転操作されると、プロジェクタ部３０から投影される画像が順次切り替わり、液晶表示器１０７に表示される画像１０７ｊも投影画像と同じ画像となるように順次切り替わる。すなわち、ロータリーセレクタ２１５の回転操作により、投影指示される画像が順次切り替えられ、投影指示された画像がプロジェクタ部３０から投影されることになる。そして、液晶表示器１０７には投影指示された画像と同じ画像１０７ｊが表示される。
【００５５】
すなわち、制御回路５０は、図６（ａ）の問い合わせ画面１０７ｉにおける「すべての画像」が選択されているときにＯＫスイッチ２１６ａからの操作信号を受信すると、プロジェクタ部３０から投影していた直近の画像のデータ、または、撮像部４０で撮像して得られた直近の画像のデータをメモリカードインタフェース１０９を介してメモリカード１１０から読み込む。そして、制御回路５０は、読み込んだ画像のデータを再生してプロジェクタ部３０から投影するように各部を制御する。投射制御回路３０６は、再生された画像を投影するよう各部を制御する。また、制御回路５０は、投影画像と同じ画像を液晶表示器１０７に表示するように各部を制御する。
【００５６】
また、制御回路５０は、ロータリースイッチ２１５ａからの操作信号を受信すると、受信した操作信号から、ロータリーセレクタ２１５の回転方向および回転量を推定する。そして制御回路５０は、推定したロータリーセレクタ２１５の回転方向および回転量に基づいて、投影している画像についてのファイル作成日時（撮像日時）を基準に、ファイル作成日時（撮像日時）が古い、または、新しい画像のデータをメモリカードインタフェース１０９を介してメモリカード１１０から読み込む。そして、制御回路５０は、読み込んだ画像のデータを再生してプロジェクタ部３０から投影するように各部を制御する。投射制御回路３０６は、再生された画像を投影するよう各部を制御する。また、制御回路５０は、投影画像と同じ画像を液晶表示器１０７に表示するように各部を制御する。
【００５７】
ロータリーセレクタ２１５の回転操作によって図６（ａ）に示した問い合わせ画面１０７ｉ上の「選択画像のみ」が選択されて、ＯＫボタン２１６が押圧されると、液晶表示器１０７には、図６（ｃ）に示すように、メモリカード１１０に記録されている画像データのサムネイル画像がサムネイル一覧画面１０７ｋとして液晶表示器１０７に一覧表示される。この段階では、プロジェクタ部３０からは壁紙としてあらかじめ設定されている画像が投影される。
【００５８】
すなわち、制御回路５０は、図６（ａ）の問い合わせ画面１０７ｉにおける「選択画像のみ」が選択されているときにＯＫスイッチ２１６ａからの操作信号を受信すると、メモリカード１１０に記録されている画像データからサムネイル画像のデータを読み込んで、サムネイル画像を液晶表示器１０７に一覧表示するよう各部を制御する。
【００５９】
ユーザによるロータリーセレクタ２１５の回転操作によって、図６（ｃ）に示すサムネイル一覧画面１０７ｋの中から、投影すべき画像のサムネイルが選択されてＯＫボタン２１６が押圧されると、図６（ｄ）の画像１０７ｌに示すように、選択されたサムネイル画像が、投影すべき画像の候補として選択される。この段階では、プロジェクタ部３０からは壁紙としてあらかじめ設定されている画像が投影される。なお、図６（ｄ）において、投影画像の候補のサムネイル画像には、説明便宜上、投影画像の候補であることを示すマークを星印で付して表示しているが、実際には画像の投影を想起させるようなマークを付すことが望ましい。
【００６０】
すなわち、制御回路５０は、サムネイル一覧画面１０７ｋ上で任意のサムネイル画像が選択されているときにＯＫスイッチ２１６ａからの操作信号を受信すると、サムネイル一覧画面１０７ｋ上で選択されているサムネイル画像に対応する画像を投影画像の候補として選択する。
【００６１】
図６（ｄ）に示すようにサムネイル一覧画面１０７ｌの中から、投影すべき画像のサムネイルを選択しているときに、たとえば、ＯＫボタン２１６が所定時間以内に２回連続で押圧されると、投影すべき画像の選択処理が終了されて、図６（ｅ）に示すように、選択した画像を投影するか否かを問い合わせる問い合わせ画面１０７ｍが液晶表示器１０７に表示される。この段階では、プロジェクタ部３０からは壁紙としてあらかじめ設定されている画像が投影される。
【００６２】
すなわち、制御回路５０は、サムネイル一覧画面１０７ｋ（１０７ｌ）上で任意のサムネイル画像が選択されているときにＯＫスイッチ２１６ａからの操作信号を所定時間以内に２回連続して受信すると、投影画像の候補選択処理を終了するとともに、図６（ｅ）に示した問い合わせ画面１０７ｍを液晶表示器１０７に表示するよう各部を制御する。
【００６３】
ユーザによるロータリーセレクタ２１５の回転操作によって、図６（ｅ）に示す問い合わせ画面１０７ｍの中から、「はい」が選択されてＯＫボタン２１６が押圧されると、図６（ｆ）に示すように、プロジェクタ部３０から、投影画像の候補のうち、ファイル作成日時が最も新しい画像が自動的に投影される。液晶表示器１０７には、投影画像と同じ画像１０７ｏが表示される。
【００６４】
ここで、ロータリーセレクタ２１５が回転操作されると、プロジェクタ部３０から投影される画像が、次の（または手前の）投影画像の候補へ順次切り替わり、液晶表示器１０７に表示される画像１０７ｏも投影画像と同じ画像となるように順次切り替わる。すなわち、ロータリーセレクタ２１５の回転操作により、投影指示される画像が投影画像の候補の中で順次切り替えられ、投影指示された画像がプロジェクタ部３０から投影されることになる。そして、液晶表示器１０７には投影指示された画像と同じ画像１０７ｏが表示される。
【００６５】
すなわち、制御回路５０は、図６（ｅ）に示す問い合わせ画面１０７ｍ上で「はい」が選択されているときにＯＫスイッチ２１６ａからの操作信号を受信すると、投影画像の候補のうち、ファイル作成日時が最も新しい画像のデータをメモリカードインタフェース１０９を介してメモリカード１１０から読み込む。そして、制御回路５０は、読み込んだ画像のデータを再生してプロジェクタ部３０から投影するように各部を制御する。投射制御回路３０６は、再生された画像を投影するよう各部を制御する。また、制御回路５０は、投影画像と同じ画像を液晶表示器１０７に表示するように各部を制御する。
【００６６】
また、制御回路５０は、ロータリースイッチ２１５ａからの操作信号を受信すると、受信した操作信号から、ロータリーセレクタ２１５の回転方向および回転量を推定する。そして制御回路５０は、推定したロータリーセレクタ２１５の回転方向および回転量に基づいて、投影画像の候補の中から、投影している画像についてのファイル作成日時（撮像日時）を基準に、ファイル作成日時（撮像日時）が古い、または、新しい画像のデータをメモリカードインタフェース１０９を介してメモリカード１１０から読み込む。そして、制御回路５０は、読み込んだ画像のデータを再生してプロジェクタ部３０から投影するように各部を制御する。投射制御回路３０６は、再生された画像を投影するよう各部を制御する。また、制御回路５０は、投影画像と同じ画像を液晶表示器１０７に表示するように各部を制御する。
【００６７】
−−−再生モード時にカメラ／プロジェクタ切替ボタン２１２が押圧された場合−−−
再生モードで動作中には、図７（ａ）に示すように、電子カメラ１では、再生指示された画像のデータがメモリカード１１０から読み込まれて再生され、液晶表示器１０７に表示される。なお、再生モードで動作中であるので、プロジェクタ部３０から画像は投影されない。
【００６８】
再生モードで動作中にカメラ／プロジェクタ切替ボタン２１２が押圧されると、図７（ｂ）に示すように、プロジェクタ部３０からは液晶表示器１０７に表示されている画像と同じ画像が投影される。ここで、ロータリーセレクタ２１５が回転操作されると、液晶表示器１０７に表示される画像が、順次切り替わり、プロジェクタ部３０から投影される画像も液晶表示器１０７に表示される画像と同じ画像となるように順次切り替わる。
【００６９】
すなわち、制御回路５０は、再生モードで動作中に切替スイッチ２１２ａからの操作信号を受信すると、液晶表示器１０７に表示している画像と同じ画像を投影するようプロジェクタ部３０を制御する。投射制御回路３０６は、液晶表示器１０７に表示している画像と同じ画像を投影するよう各部を制御する。
【００７０】
また、制御回路５０は、ロータリースイッチ２１５ａからの操作信号を受信すると、受信した操作信号から、ロータリーセレクタ２１５の回転方向および回転量を推定する。そして制御回路５０は、推定したロータリーセレクタ２１５の回転方向および回転量に基づいて、液晶表示器１０７に表示している画像についてのファイル作成日時（撮像日時）を基準に、ファイル作成日時（撮像日時）が古い、または、新しい画像のデータをメモリカードインタフェース１０９を介してメモリカード１１０から読み込む。そして、制御回路５０は、読み込んだ画像のデータを再生して液晶表示器１０７に表示するように各部を制御する。また、制御回路５０は、液晶表示器１０７に表示している画像と同じ画像を投影するようにプロジェクタ部３０を制御する。投射制御回路３０６は、液晶表示器１０７に表示している画像と同じ画像を投影するよう各部を制御する。
【００７１】
図７（ｂ）に示すように、液晶表示器１０７に表示される画像と同じ画像を投影している際に、再びカメラ／プロジェクタ切替ボタン２１２が押圧されると、図７（ｃ）に示すように、液晶表示器１０７による画像の表示が中止される。なお、カメラ／プロジェクタ切替ボタン２１２が押圧されてもプロジェクタ部３０から投影される画像には変化はないが、ロータリーセレクタ２１５が回転操作されると、プロジェクタ部３０から投影される画像が順次切り替わる。このように、液晶表示器１０７に表示される画像と同じ画像を投影している際に、再びカメラ／プロジェクタ切替ボタン２１２が押圧されると、消費電力低減のため、液晶表示器１０７による画像の表示が中止される。
【００７２】
すなわち、制御回路５０は、図７（ｂ）に示すように、液晶表示器１０７に表示される画像と同じ画像を投影している際に、切替スイッチ２１２ａからの操作信号を受信すると、液晶表示器１０７による画像の表示を中止するよう液晶表示器１０７を制御する。
【００７３】
また、制御回路５０は、ロータリースイッチ２１５ａからの操作信号を受信すると、受信した操作信号から、ロータリーセレクタ２１５の回転方向および回転量を推定する。そして制御回路５０は、推定したロータリーセレクタ２１５の回転方向および回転量に基づいて、投影している画像についてのファイル作成日時（撮像日時）を基準に、ファイル作成日時（撮像日時）が古い、または、新しい画像のデータをメモリカードインタフェース１０９を介してメモリカード１１０から読み込む。そして、制御回路５０は、読み込んだ画像のデータを再生してプロジェクタ部３０から投影するように各部を制御する。投射制御回路３０６は、再生された画像を投影するよう各部を制御する。
【００７４】
図７（ｃ）に示すように、消費電力低減のため、液晶表示器１０７による画像の表示が中止された後、再生ボタン２１７が押圧されると、液晶表示器１０７による画像の表示が再開され、投影画像と同じ画像が液晶表示器１０７に表示される。
【００７５】
すなわち、制御回路５０は、切替スイッチ２１２ａからの操作信号を受信して液晶表示器１０７による画像の表示を中止した後、再生スイッチ２１７ａからの操作信号を受信すると、液晶表示器１０７による画像の表示を再開するよう各部を制御する。
【００７６】
図７（ｂ）に示すように、液晶表示器１０７に表示される画像と同じ画像を投影している際に、再生ボタン２１７が押圧されると、図７（ａ）に示すように、プロジェクタ部３０からの画像の投影が中止され、カメラの動作モードが再生モードに戻る。
【００７７】
すなわち、制御回路５０は、図７（ｂ）に示すように、液晶表示器１０７に表示される画像と同じ画像を投影している際に、再生スイッチ２１７ａからの操作信号を受信すると、画像の投影を中止するようプロジェクタ部３０を制御する。投射制御回路３０６は、画像の投影を中止するよう各部を制御する。
【００７８】
なお、上述した、図７（ａ），（ｂ）に示すように、液晶表示器１０７で画像の表示を行っている場合には、所定の操作によって、メモリカード１１０に記録されている画像データのサムネイル画像が、図４（ｃ）に示すサムネイル一覧画面１０７ｃと同様に表示されるように構成してもよい。これにより、ユーザは、液晶表示器１０７の表示画面を見ながら投影画像の選択ができるようになる。なお、サムネイル画像の一覧を表示している際には、それまで投影していた画像を継続して投影するようにしてもよく、上述した壁紙を投影するようにしてもよい。
【００７９】
上述した電子カメラ１では、次の作用効果を奏する。
（１）  カメラモードで動作中にカメラ／プロジェクタ切替ボタン２１２が押圧されると、図４（ａ）に示すように、液晶表示器１０７には、再生モードに移行するのか、投影モードに移行するのか、再生＋投影モードに移行するのかを問い合わせ画面１０７ａが表示されるように構成した。また、ロータリーセレクタ２１５の回転操作によって図４（ａ）に示した問い合わせ画面１０７ａ上の「投影モード」が選択されて、ＯＫボタン２１６が押圧されると、電子カメラ１の動作モードが投影モードへ移行するように構成した。これにより、カメラモードで動作中の電子カメラ１の動作モードを、投影モードに容易に切り替えられる。
【００８０】
（２）  投影モードに移行すると、液晶表示器１０７には、図４（ｂ）に示すように、メモリカード１１０に記録されている画像をすべて投影するのか、選択した画像だけを投影するのかを問い合わせる問い合わせ画面１０７ｂが表示されるように構成した。これにより、投影画像を選択するというユーザの意志を反映できる。
【００８１】
（３）  投影モードに移行すると、プロジェクタ部３０からは壁紙としてあらかじめ設定されている画像が投影されるように構成した。これにより、投影モード移行時に、ユーザの予期せぬ画像が投影されることを防止でき、予期せぬ画像を投影したくないと考えるユーザの意に沿う動作を実現できる。
【００８２】
（４）  カメラモードで動作中にカメラ／プロジェクタ切替ボタン２１２が押圧されると、図４（ａ）に示すように、液晶表示器１０７には、再生モードに移行するのか、投影モードに移行するのか、再生＋投影モードに移行するのかを問い合わせ画面１０７ａが表示されるように構成した。これにより、簡単な操作でメモリカード１１０に記録されている画像データの表示／投影方法の選択肢を表示できるので、操作性がよく利便性が高い。
【００８３】
（５）  投影モードで画像を投影中、液晶表示器１０７には、メモリカード１１０に記録された画像データのサムネイル画像を表示するように構成した。また、図４（ｃ）または図５（ｄ）に示すサムネイル一覧画面１０７ｃ，１０７ｈの中から、ロータリーセレクタ２１５の回転操作によって投影すべき画像のサムネイルが選択されてＯＫボタン２１６が押圧されると、選択されたサムネイルに対応する画像がプロジェクタ部３０から投影されるように構成した。これにより、次に投影される画像をユーザが確認して選択できるので、投影画像の選択に際し、ユーザの意志を反映できる。
【００８４】
（６）  再生モードで動作中にカメラ／プロジェクタ切替ボタン２１２が押圧されると、図７（ｂ）に示すように、プロジェクタ部３０からは液晶表示器１０７に表示されている画像と同じ画像が投影されるように構成した。これにより、再生モードで画像を鑑賞中に、鑑賞している画像を即座に投影したいという、ユーザの要求に応えることができる。
【００８５】
−−−変形例−−−
（１）  上述の説明では、撮影モードで動作中にカメラ／プロジェクタ切替ボタン２１２が押圧されると、図４（ａ）の問い合わせ画面１０７ａを液晶表示器１０７に表示するように構成しているが、本発明はこれに限定されない。たとえば、撮影モードで動作中にカメラ／プロジェクタ切替ボタン２１２が押圧されると、図４（ａ）の問い合わせ画面１０７ａを表示することなく、投影モードへ移行して、図４（ｂ）に示す問い合わせ画面１０７ｂを液晶表示器１０７に表示し、壁紙をプロジェクタ部３０から投影するようにしてもよい。また、図４（ａ）に示した状態に移行してからカメラ／プロジェクタ切替ボタン２１２が押圧されると、図４（ａ）の問い合わせ画面１０７ａ上で投影モードが選択されていなくても、投影モードへ移行して、図４（ｂ）に示す問い合わせ画面１０７ｂを液晶表示器１０７に表示し、壁紙をプロジェクタ部３０から投影するようにしてもよい。
【００８６】
これにより、カメラ／プロジェクタ切替ボタン２１２の押圧操作のみで投影モードに移行できるので、操作回数が少なくて済み、操作性が向上する。また、この場合には、カメラ／プロジェクタ切替ボタン２１２があたかも投影モード移行のための専用ボタンであるとも言えるので、投影モードへ移行する際の操作時に、ユーザが操作に迷い難くなり、操作性・利便性が向上する。
【００８７】
また、撮影モードで動作中にカメラ／プロジェクタ切替ボタン２１２が押圧されると、図４（ａ）の問い合わせ画面１０７ａを表示することなく、投影モードへ移行して、図４（ｂ）の問い合わせ画面１０７ｂ上で「すべての画像」が選択された場合と同様に動作するように構成してもよい。すなわち、撮影モードで動作中にカメラ／プロジェクタ切替ボタン２１２が押圧されると、図４（ｃ）に示すサムネイル一覧画面１０７ｃを液晶表示器１０７に表示し、壁紙をプロジェクタ部３０から投影するようにしてもよい。
【００８８】
また、撮影モードで動作中にカメラ／プロジェクタ切替ボタン２１２が押圧されると、図４（ａ）の問い合わせ画面１０７ａを表示することなく、投影モードへ移行して、図４（ｂ）に示す問い合わせ画面１０７ｂ上で「選択画像のみ」が選択された場合と同様に動作するように構成してもよい。すなわち、撮影モードで動作中にカメラ／プロジェクタ切替ボタン２１２が押圧されると、図５（ａ）に示した、サムネイル一覧画面１０７ｅを液晶表示器１０７に表示し、壁紙をプロジェクタ部３０から投影するようにしてもよい。
【００８９】
（２）  上述の説明では、メモリカード１１０に画像のデータが記録されていることを前提に説明したが、メモリカード１１０に画像のデータが記録されていない場合には、上述の説明における、メモリカード１１０に記録された画像を投影する場面において、たとえば、壁紙を投影し、所定時間後に壁紙の投影を中止するように構成してもよい。この場合に、壁紙の画像とともに、たとえば、「投影できる画像がありません。消灯まであと２５秒です。」といった、投影できる画像がない旨および投影中止（プロジェクタ消灯）までの時間をあわせて投影するようにしてもよい。また、液晶表示器１０７には、投影(表示)できる画像がない旨の表示を行うようにしてもよく、プロジェクタ消灯後も、カメラのいわゆるスリープモードに移行するまで、当該表示を継続するようにしてもよい。
【００９０】
（３）  上述の説明では、電子カメラ１の電源がオフされているときに、カメラ／プロジェクタ切替ボタン２１２が押圧された際の動作については特に言及していない。しかし、たとえば、電子カメラ１の電源がオフされているときに、カメラ／プロジェクタ切替ボタン２１２が一定時間以上継続して押圧されると、電子カメラ１を投影モードで起動して、図４（ｂ）に示した状態に移行するように構成してもよい。なお、この場合には、プロジェクタ部３０からの壁紙の投影を行わなくてもよい。また、液晶表示器１０７に図４（ｂ）に示す問い合わせ画面１０７ｂを表示させた後、一定時間以上何らかの操作がない場合には、液晶表示器１０７による問い合わせ画面１０７ｂの表示を中止するように構成してもよい。
【００９１】
（４）  上述の説明では、投影モードから他のモードへ移行する場合などについては特に言及していないが、たとえば、電子カメラ１が次のように動作するように構成してもよい。たとえば、投影モードで動作中にメインスイッチボタン１０５が所定時間以上継続して押圧されると、電子カメラ１の電源をオフし、その後、再びメインスイッチボタン１０５が所定時間以上継続して押圧されると、電子カメラ１の電源をオンして、カメラモードで起動するように構成してもよい。また、たとえば、投影モードで動作中にメインスイッチボタン１０５が押圧されると、カメラモードに移行するように構成してもよい。
【００９２】
たとえば、投影モードで動作中にカメラ／プロジェクタ切替ボタン２１２が所定時間以上継続して押圧されると、カメラモードに移行するように構成してもよい。なお、投影モードで動作中にカメラ／プロジェクタ切替ボタン２１２が短時間だけ押圧されても、カメラモードに移行するように構成してもよいが、ユーザの誤操作を防止するため、上述したように、カメラモードに戻るには、カメラ／プロジェクタ切替ボタン２１２の所定時間以上の継続した押圧を条件としてもよい。
【００９３】
たとえば、投影モードで動作中にレリーズボタン１０４が半押し操作されると、カメラモードに移行するように構成してもよい。また、たとえば、投影モードで動作中に所定時間以上何の操作もなされなかったときに、プロジェクタ部３０からの画像の投影を中止し、その後、電子カメラ１に対して何らかの操作がなされた場合には、投影中止前に投影していた画像の投影を再開するように構成してもよい。
【００９４】
なお、プロジェクタ部３０からの画像の投影が中止された後、さらに所定時間が継続して電子カメラ１がスリープモードに移行した場合には、その後カメラ／プロジェクタ切替ボタン２１２が押圧されると、投影中止前に投影していた画像の投影を再開するように構成してもよい。
【００９５】
また、プロジェクタ部３０からの画像の投影が中止された後、さらに所定時間が継続して電子カメラ１がスリープモードに移行した場合には、その後カメラ／プロジェクタ切替ボタン２１２以外のボタンが押圧されると、投影中止前に投影していた画像の投影を再開するか否かを問い合わせる画面を液晶表示器１０７に表示するように構成してもよい。ここで、投影中止前に投影していた画像の投影再開が指示されると、投影中止前に投影していた画像の投影を再開するように構成してもよい。また、投影中止前に投影していた画像の投影再開が指示されなかった場合には、上述した変形例（３）における、「電子カメラ１の電源がオフされているときに、カメラ／プロジェクタ切替ボタン２１２が一定時間以上継続して押圧されたとき」の動作と同じ動作をするように構成してもよい。
【００９６】
（５）  上述の説明では、投影モード時、および再生＋投影モード時の液晶表示器１０７の表示の明るさについては、特に言及していないが、画像の投影は周囲が暗い環境下で行われることが多いため、投影モード時や再生＋投影モード時には、液晶表示器１０７の表示の明るさを暗く（表示輝度を低く）するように構成してもよい。
【００９７】
（６）  上述した変形例の（１）の場合とは異なり、たとえば、撮影モードで動作中にカメラ／プロジェクタ切替ボタン２１２が一定時間以上継続して押圧されると、図４（ａ）の問い合わせ画面１０７ａを表示することなく、投影モードへ移行し、図４（ｂ）に示す問い合わせ画面１０７ｂを液晶表示器１０７に表示し、壁紙をプロジェクタ部３０から投影するようにしてもよい。
【００９８】
また、撮影モードで動作中にカメラ／プロジェクタ切替ボタン２１２が一定時間以上継続して押圧されると、図４（ａ）の問い合わせ画面１０７ａを表示することなく、図４（ｂ）の問い合わせ画面１０７ｂ上で「すべての画像」が選択された場合と同様に動作するように構成してもよい。すなわち、撮影モードで動作中にカメラ／プロジェクタ切替ボタン２１２が一定時間以上継続して押圧されると、図４（ｃ）に示すサムネイル一覧画面１０７ｃを液晶表示器１０７に表示し、壁紙をプロジェクタ部３０から投影するようにしてもよい。
【００９９】
また、撮影モードで動作中にカメラ／プロジェクタ切替ボタン２１２が一定時間以上継続して押圧されると、図４（ａ）の問い合わせ画面１０７ａを表示することなく、投影モードへ移行して、図４（ｂ）に示す問い合わせ画面１０７ｂ上で「選択画像のみ」が選択された場合と同様に動作するように構成してもよい。すなわち、撮影モードで動作中にカメラ／プロジェクタ切替ボタン２１２が一定時間以上継続して押圧されると、図５（ａ）に示した、サムネイル一覧画面１０７ｅを液晶表示器１０７に表示し、壁紙をプロジェクタ部３０から投影するようにしてもよい。
【０１００】
（７）  たとえば、再生モードや再生＋投影モードで動作中に、カメラ／プロジェクタ切替ボタン２１２が一定時間以上継続して押圧されると、上述した変形例（６）における、「撮影モードで動作中にカメラ／プロジェクタ切替ボタン２１２が一定時間以上継続して押圧されたとき」の動作と同じ動作をするように構成してもよい。
【０１０１】
（８）  上述の説明では、被写体像の撮影機能と、画像の投影機能とを有する電子機器の一例として電子カメラ１について説明したが、本発明は、電子カメラに限定されない。たとえば、被写体像の撮影機能と、画像の投影機能とを有する携帯可能なテレビや、画像再生装置、携帯電話機、ＰＤＡ、ノートＰＣなど各種の電子機器に適用可能である。
（９）  上述した各実施の形態および変形例は、それぞれ組み合わせてもよい。
【０１０２】
なお、本発明は、上述した実施の形態のものに何ら限定されず、被写体像を撮像する撮像手段と、画像を投影する投影手段と、電子機器本体に設けられた表示手段と、電子機器の動作モードを、少なくとも、撮像手段によって被写体像を撮像する撮影モードと、投影手段によって画像を投影する投影モードとに切り替えて設定するモード設定手段と、電子機器の動作モードを撮影モードから投影モードに切り替えるための操作入力を受け付ける１つの操作部材とを備え、モード設定手段は、電子機器の動作モードが撮影モードに設定されている場合に操作部材が操作されると、電子機器の動作モードを撮影モードから投影モードに切り替えることを特徴とする各種構造の電子機器を含むものである。
【図面の簡単な説明】
【０１０３】
【図１】電子カメラ１の外観図である。
【図２】電子カメラ１のブロック図である。
【図３】プロジェクタ部３０の構成図である。
【図４】液晶表示器１０７の表示内容、および、プロジェクタ部３０から投影される画像の内容の遷移状態を示す図である。
【図５】液晶表示器１０７の表示内容、および、プロジェクタ部３０から投影される画像の内容の遷移状態を示す図である。
【図６】液晶表示器１０７の表示内容、および、プロジェクタ部３０から投影される画像の内容の遷移状態を示す図である。
【図７】液晶表示器１０７の表示内容、および、プロジェクタ部３０から投影される画像の内容の遷移状態を示す図である。
【符号の説明】
【０１０４】
１  電子カメラ                    ３０  プロジェクタ装置（プロジェクタ部）
４０  撮像部                      ５０  制御回路
６０  メモリ                      １０７  液晶表示器
１１０  メモリカード              ２１２  カメラ／プロジェクタ切替ボタン
２１２ａ  切替スイッチ            ２１５  ロータリーセレクタ
２１５ａ  ロータリースイッチ      ２１７  再生ボタン
２１７ａ  再生スイッチ
【図１】
2008252602.tif 000003
【図２】
2008252602.tif 000004
【図３】
2008252602.tif 000005
【図４】
2008252602.tif 000006
【図５】
2008252602.tif 000007
【図６】
2008252602.tif 000008
【図７】
2008252602.tif 000009